(57)【要約】      （修正有）【課題】一様に矩形の形状を有さないディスプレイにおいて、ディスプレイ上の望ましくない視覚アーチファクトの発生を抑制する。【解決手段】ディスプレイ１４は、アクティブエリアＡＡ内に延びる非アクティブノッチ領域を含むことができる。データ線は、表示ドライバ回路から表示画素に画像データを供給することができる。画像データは、非アクティブノッチ領域などの、画素を含まないディスプレイ１４の部分に対応するデータ信号を含むことができる。ヌルデータ信号は、表示される画像に不均一性を生じさせる可能性があるため、不均一性を最小限にするように調整されてもよい。非アクティブノッチ領域に対応するヌルデータ信号は、非アクティブノッチとアクティブエリアＡＡとの境界からの距離とともに徐々に減少するグレーレベルを有するように調整されてもよい。非アクティブノッチに対応する全てのデータ信号は、均一なグレーレベルに設定されてもよい。【選択図】図３
2019045851.tif 000002
【特許請求の範囲】
【請求項１】
アクティブエリアを形成する画素と、
画素を含まない、前記アクティブエリア内の非アクティブノッチと、
前記アクティブエリア内の前記画素に画像データを供給し、前記非アクティブノッチに対応するヌルデータを供給するディスプレイドライバ回路と、を備えるディスプレイであって、前記ヌルデータはブラックデータ及びグレーデータを含む、ディスプレイ。
【請求項２】
前記非アクティブノッチは、前記アクティブエリアに隣接する遷移部分を含み、前記ディスプレイドライバ回路によって供給される前記グレーデータは前記遷移部分に対応する、請求項１に記載のディスプレイ。
【請求項３】
前記非アクティブノッチは上部部分を含み、前記遷移部分は前記アクティブエリアと前記上部部分との間にあり、前記ディスプレイドライバ回路によって供給された前記ブラックデータは前記上部部分に対応する、請求項２に記載のディスプレイ。
【請求項４】
前記ディスプレイドライバ回路は、複数の異なるグレーレベルを使用して前記グレーデータを前記遷移部分に供給する、請求項３に記載のディスプレイ。
【請求項５】
前記複数の異なるグレーレベルは、直線的に減少する第１、第２及び第３のグレーレベルを含む、請求項４に記載のディスプレイ。
【請求項６】
前記複数の異なるグレーレベルは、指数関数的に減少する第１、第２及び第３のグレーレベルを含む、請求項４に記載のディスプレイ。
【請求項７】
前記非アクティブノッチは、スピーカ、カメラ、及び周囲光センサを収容する、請求項１に記載のディスプレイ。
【請求項８】
前記画素は有機発光ダイオード画素を備える、請求項７に記載のディスプレイ。
【請求項９】
画像を表示するように構成されたアクティブエリアを形成する画素の行及び列であって、前記アクティブエリアはノッチ形状の凹部を有する、画素の行及び列と、
前記画素の行を横切って延び、前記ノッチ形状の凹部に隣接する前記アクティブエリアの端部で終端する第１のデータ線と、
前記アクティブエリアを横切って延び、前記ノッチ形状の凹部で終端する第２のデータ線と、
前記第１のデータ線及び前記第２のデータ線から前記アクティブエリア内の画素の第１の組の前記行へのデータ読み込みを制御する第１のゲート線と、
前記第２のデータ線ではなく前記第１のデータ線から前記アクティブエリア内の画素の第２の組の前記行へのデータ読み込みを制御する第２のゲート線と、
ディスプレイドライバ回路であって、
前記データ読み込みを制御するために前記第１のゲート線を使用する間に、前記第２のデータ線に画像データを供給するように、
前記データ読み込みを制御するために前記第１の組の第２のゲート線を使用する間に、前記第２のデータ線に第１の非画像データを供給するように、及び
前記データ読み込みを制御するために第２の組の前記第２のゲート線を使用する間に、前記第２のデータ線に前記第１の非画像データとは異なる第２の非画像データを供給するように構成されている、ディスプレイドライバ回路と、を備えるディスプレイ。
【請求項１０】
第１の非画像データはブラック画像データであり、前記第２の非画像データはグレー画像データを含む、請求項９に記載のディスプレイ。
【請求項１１】
前記グレー画像データは、複数の異なるグレーレベルを含む、請求項１０に記載のディスプレイ。
【請求項１２】
前記第２の組の前記第２のゲート線は、前記第１の組の前記第２のゲート線と前記第１のゲート線との間に介在する、請求項１１に記載のディスプレイ。
【請求項１３】
前記第２の組の前記第２のゲート線は、
前記第１のゲート線と前記第１の組の前記第２のゲート線との間の第１のゲート線であって、前記ディスプレイドライバ回路が、前記データ読み込みを制御するために前記第１のゲート線を使用する間に、前記第２のデータ線に第１のグレーレベルを供給するように構成されている、第１のゲート線と、
前記第１のゲート線と前記第１の組の前記第２のゲート線との間の第２のゲート線であって、前記ディスプレイドライバ回路が、前記データ読み込みを制御するために前記第２のゲート線を使用する間に、前記第２のデータ線に第２のグレーレベルを供給するように構成されている、第２のゲート線と、
前記第１のゲート線と前記第１の組の前記第２のゲート線との間の第３のゲート線であって、前記ディスプレイドライバ回路が、前記データ読み込みを制御するために前記第３のゲート線を使用する間に、前記第２のデータ線に第３のグレーレベルを供給するように構成されている、第３のゲート線と、を備える、請求項１２に記載のディスプレイ。
【請求項１４】
前記グレーレベルは、前記第１のグレーレベルから前記第３のグレーレベルに指数関数的に減少する、請求項１３に記載のディスプレイ。
【請求項１５】
前記グレーレベルは、前記第１のグレーレベルから前記第３のグレーレベルに直線的に減少する、請求項１３に記載のディスプレイ。
【請求項１６】
前記第１の非画像データ及び前記第２の非画像データは、前記画素のいずれにも供給されない、請求項９に記載のディスプレイ。
【請求項１７】
データ線に画像データを供給するディスプレイドライバ回路と、データ信号減衰器と、データ信号補償器と、前記画像データを表示するように構成されたアクティブエリアを形成する画素と、を有するディスプレイを動作させる方法であって、
前記データ信号減衰器を用いて、前記画像データをブラックデータに調整することと、
前記データ信号補償器を用いて、前記ブラックデータをグレーデータに調整することと、
前記ディスプレイドライバ回路を用いて、前記グレーデータを前記データ線に供給することと、を含み、前記グレーデータは前記画素のいずれをも駆動しない、方法。
【請求項１８】
前記データ信号減衰器によって調整された前記画像データは、前記アクティブエリア内のノッチ形状の非アクティブ領域に対応し、
前記ディスプレイドライバ回路を用いて、前記画像データの少なくとも一部を、前記アクティブエリアを形成する前記画素に供給することを更に含む、請求項１７に記載の方法。
【請求項１９】
前記ディスプレイドライバ回路を用いて、前記ブラックデータの少なくとも一部を前記データ線に供給することを更に含み、前記ブラックデータは前記画素のいずれをも駆動しない、請求項１８に記載の方法。
【請求項２０】
前記データ信号補償器を用いて、前記データ信号減衰器からの前記ブラックデータを全てグレーデータに調整することを更に含む、請求項１８に記載の方法。
【発明の詳細な説明】
【背景技術】
【０００１】
本出願は、２０１８年５月２４日に出願された米国特許出願第１５／９８９，０６６号及び２０１７年９月１日に出願された米国特許仮出願第６２／５５３，７４５号に対する優先権を主張するものであり、それらの各々は本明細書によって参照によりその全体が本明細書に組み込まれる。
本出願は、概して電子デバイスに関し、より具体的には、ディスプレイを有する電子デバイスに関する。
【０００２】
電子デバイスは、多くの場合、ディスプレイを含む。例えば、セルラー電話機及びポータブルコンピュータは、多くの場合、ユーザに情報を提示するためのディスプレイを含む。
【０００３】
ディスプレイは、ユーザに画像を提示するための画素の配列を含む。アクティブエリアは矩形であってもよく、画素を含まない非アクティブエリアによって境界付けされていてもよい。データ線は、アクティブエリアの外側で配列の画素に取り付けられたディスプレイドライバ集積回路からデータ信号を供給する。
【０００４】
一様に矩形の形状を有さないディスプレイ（例えば、丸い角、及び／又はアクティブエリア内に延びて非アクティブノッチを形成する非アクティブエリアを有するディスプレイ）上に画像を表示しようとすると、困難が生じ得る。例えば、データ線は、一様に矩形のディスプレイ内には存在するが、丸い角部又はノッチ形状の非アクティブエリアが存在することで存在しない画素に対応するデータ信号を供給されてもよい。これらのデータ信号は、画像を表示できるように調整され得る。しかしながら、注意を払わなければ、表示データ信号を調整することは、ディスプレイ上に望ましくない視覚アーチファクトを引き起こす可能性がある。
【発明の概要】
【０００５】
ディスプレイは、表示画素を含むアクティブエリアを有することができる。ディスプレイは、スピーカ又は他のコンポーネントを収容するためにディスプレイのアクティブエリア内に延びる非アクティブノッチ領域を含むことができる。データ線はディスプレイドライバ回路から表示画素にデータ信号を供給することができる。ゲート線は、表示画素へのデータ信号の読み込みを制御することができる。
【０００６】
矩形画像用のデータを表示する場合には、データ線は、一様に矩形のディスプレイ内に存在するが、非アクティブノッチ領域が存在するために存在しない画素に対応するデータ信号を供給されてもよい。これらの存在しない画素のためのデータ信号（ヌルデータ信号）は、表示画像に不均一性を生じさせることがある。ヌルデータ信号は、不均一性を最小限にする（例えば、アクティブエリアと非アクティブノッチ領域との間の縁部を滑らかにする）ように調整され得るが、これらの調整は、データ線上に設けられた電圧の急激な遷移を生成し得る。これらの急激な遷移は、望ましくない表示アーチファクトをもたらし得る。
【０００７】
データ信号補償動作は、データ線上の電圧を徐々に遷移させるために使用され得る。非アクティブノッチ領域に対応するヌルデータ信号は、アクティブエリアと非アクティブノッチとの境界に近づくほど最も高くなり、境界から遠ざかるほどゼロに減少し得る。実際の画素が存在しないディスプレイの部分に対応する全てのデータ信号は、均一なグレーレベルに設定されてもよい。
【図面の簡単な説明】
【０００８】
【図１】一実施形態に係る、ディスプレイを有する例示的な電子デバイスの図である。
【０００９】
【図２】一実施形態に係る、アクティブエリア及び非アクティブエリアを有するディスプレイを有する例示的な電子デバイスの斜視図である。
【００１０】
【図３】一実施形態に係る、例示的な有機発光ダイオードディスプレイの図である。
【００１１】
【図４】一実施形態に係る、アクティブエリア内に延びる非アクティブノッチを有する例示的な有機発光ダイオードディスプレイの一部の図である。
【００１２】
【図５】一実施形態に係る、ディスプレイ上に画像を表示するための例示的なパイプラインの図である。
【００１３】
【図６】一実施形態に係る、ディスプレイ内の表示信号の調整に関わる例示的なステップのフローチャートである。
【発明を実施するための形態】
【００１４】
ディスプレイを備え得るタイプの例示的電子デバイスを、図１に示す。電子デバイス１０は、ラップトップコンピュータ、組み込み型コンピュータを含むコンピュータモニタ、タブレットコンピュータ、セルラー電話、メディアプレーヤ、又はその他のハンドヘルド若しくはポータブル電子デバイスなどのコンピューティングデバイス、腕時計型デバイス、ペンダント型デバイス、ヘッドフォン型若しくはイヤフォン型デバイス、眼鏡に埋め込まれたデバイス若しくはユーザの頭部に装着する他の機器、又はその他のウェアラブル若しくはミニチュアデバイスなどの小さめのデバイス、ディスプレイ、組み込み型コンピュータを含むコンピュータディスプレイ、組み込み型コンピュータを含まないコンピュータディスプレイ、ゲーミングデバイス、ナビゲーションデバイス、ディスプレイを有する電子機器をキオスク若しくは自動車に搭載したシステムなどの組み込み型システム、又は他の電子機器であってもよい。
【００１５】
図１に示すように、電子デバイス１０は制御回路１６を有することができる。制御回路１６は、デバイス１０の動作をサポートする記憶及び処理回路を含むことができる。記憶及び処理回路としては、ハードディスクドライブ記憶装置、不揮発性メモリ（例えば、フラッシュメモリ、又はソリッドステートドライブを形成するように構成された他の電気的にプログラム可能な読み出し専用メモリ）、揮発性メモリ（例えば、静的又は動的なランダムアクセスメモリ）などの記憶装置を挙げることができる。制御回路１６内の処理回路を使用して、デバイス１０の動作を制御することができる。処理回路は、１つ以上のマイクロプロセッサ、マイクロコントローラ、デジタル信号プロセッサ、ベースバンドプロセッサ、電力管理ユニット、オーディオチップ、特定用途向け集積回路などに基づき得る。
【００１６】
入出力デバイス１２などのデバイス１０の入出力回路は、データをデバイス１０に供給することを可能にし、データをデバイス１０から外部デバイスに供給することを可能にするために使用され得る。入出力デバイス１２は、ボタン、ジョイスティック、スクロールホイール、タッチパッド、キーパッド、キーボード、マイクロフォン、スピーカ、音源、バイブレータ、カメラ、センサ、発光ダイオード及び他の状態インジケータ、データポート、近接センサ、などを含むことができる。ユーザは、入出力デバイス１２を介してコマンドを供給することによってデバイス１０の動作を制御することができ、入出力デバイス１２の出力リソースを使用してデバイス１０から状態情報及び他の出力を受信することができる。
【００１７】
入出力デバイス１２は、ディスプレイ１４などの１つ以上のディスプレイを含むことができる。ディスプレイ１４は、ユーザからのタッチ入力を収集するためのタッチセンサを含むタッチスクリーンディスプレイであってもよい。ディスプレイ１４のタッチセンサは、容量性タッチセンサ電極の配列、音響式タッチセンサ構造、抵抗性タッチコンポーネント、力ベースのタッチセンサ構造、光学式タッチセンサ又は他の好適なタッチセンサ構成に基づき得る。ディスプレイ１４のタッチセンサは、ディスプレイ１４の画素を有する共通のディスプレイ基板上に形成された電極から形成されてもよく、又は、ディスプレイ１４の画素と重なる別個のタッチセンサパネルから形成されてもよい。所望であれば、ディスプレイ１４は、タッチに反応しなくてもよい（すなわち、タッチセンサは省略されてもよい）。
【００１８】
制御回路１６を用いて、オペレーティングシステムコード及びアプリケーションなどのソフトウェアをデバイス１０で実行することができる。デバイス１０の動作中、制御回路１６上で実行しているソフトウェアは、ディスプレイ１４上に画像を表示することができる。所望であれば、制御回路１６は、ディスプレイ１４に供給される画像データ信号を減衰させるためのデータ信号減衰器５５を含むことができる。１つの例示的な例では、制御回路１６は、減衰器５５によって減衰されたデータ信号を調整するためのデータ信号補償器５７を含むこともできる。別の例示的な例では、データ信号補償器５７をディスプレイ１４に組み込んで、減衰器５５によって減衰されたデータ信号を受信し調整することができる。
【００１９】
例示的な電子デバイス１０の斜視図を図２に示す。デバイス１０は、入出力デバイス１２、ディスプレイ１４、及び制御回路１６などのコンポーネントが取り付けられた筐体１１を有することができる。エンクロージャ又はケースと呼ばれることもある筐体１１は、プラスチック、ガラス、セラミック、繊維複合材、金属（例えば、ステンレス鋼、アルミニウム、チタン、金など）、他の好適な材料、又はこれらの材料の任意の２つ以上の組み合わせから形成され得る。筐体１１は、ハウジング１１の一部若しくは全部が単一の構造として機械加工又は成形された単体構成を用いて形成されてもよく、又は複数の構造（例えば、内部フレーム構造、外部筐体表面を形成する１つ以上の構造など）を用いて形成されてもよい。
【００２０】
図２に示すように、ディスプレイ１４は、ともにデバイス１０の正面の大部分又は全部を占めるアクティブエリアＡＡ及び非アクティブエリアＩＡを有することができる。アクティブエリアＡＡは、ユーザに画像を表示するための、発光する画素を含むことができる。非アクティブ境界エリアＩＡは、アクティブエリアＡＡを取り囲んでもよく、ディスプレイドライバ回路、ゲートドライバ回路、電力供給回路、及び導電経路を収容して、アクティブエリア内の画素に表示信号を供給するように使用され得る。非アクティブ領域ＩＡは、表示画素がなくてもよい。アクティブエリアＡＡ及び非アクティブエリアＩＡは、境界５１（本明細書では、アクティブエリアと非アクティブエリアとの間のアクティブエリア境界、非アクティブエリア境界、境界、又は分割線と呼ばれることもある）で会合することができる。スピーカ、カメラ、周囲光センサ、又は近接センサなどの入出力コンポーネント１２をデバイス１０内に収容するために、非アクティブエリアＩＡの一部は、アクティブエリアＡＡ内に延びてノッチ５０（本明細書では、ノッチ領域、非アクティブノッチ、又はノッチ形状凹部と呼ばれることもある）を形成することができる。アクティブエリアと非アクティブエリアとの間の境界５１の形状は、ノッチ５０がアクティブエリア内に延びる屈曲部分（湾曲部分、偏向部分、蛇行（meandering）部分、又は蛇行（serpentine）部分と呼ばれることもある）を有することができる。図２に示すように、境界５１は、丸い角を有することができる。非アクティブエリアＩＡには表示画素がないので、アクティブディスプレイ構造によって妨げられることなく、入出力コンポーネントをノッチエリア５０に取り付けることができる。
【００２１】
ディスプレイ１４は、有機発光ダイオードディスプレイであってもよい。有機発光ダイオードディスプレイでは、各画素は対応する有機発光ダイオードを含む。有機発光ダイオードの正の電源端子には正の電源電圧ＥＬＶＤＤを供給してもよく、有機発光ダイオードの接地電源端子には接地電源電圧ＥＬＶＳＳを供給してもよい。ダイオードはアノード（端子ＡＮ）及びカソード（端子ＣＤ）を有する。駆動トランジスタの状態が、ダイオードを流れる電流の量、したがって表示画素からの発光量を制御する。カソードは接地端子に結合されるので、ダイオードのカソード端子は接地端子と呼ばれることもある。
【００２２】
図３に示すように、ディスプレイ１４は、基板層２４などの層を含むことができる。基板２４及び、所望であれば、ディスプレイ１４の他の層は、ガラス層、ポリマー層（例えば、ポリイミド又は他の可撓性ポリマーの可撓性シート）などの材料の層から形成されてもよい。基板２４は、平面であってもよく、及び／又は１つ以上の湾曲部を有していてもよい。基板２４はＹ軸に沿って延びる左右の縦縁部及びＸ軸に沿って延びる上下の水平縁部を有する矩形形状を有してもよく、又は非矩形形状を有してもよい。基板２４が４つの角を有する矩形を有する構成において、角は、所望であれば、丸くてもよい。
【００２３】
ディスプレイ１４は、行及び列に配置された画像画素２２の配列を有することができる。画素２２は、ユーザのために画像を表示するディスプレイ１４のアクティブエリアＡＡを形成する。基板２４の縁部のうちの１つ以上に沿った非アクティブエリアＩＡなどのディスプレイ１４の非アクティブ境界部分は画素２２を含まず、ユーザのために画像を表示しない（すなわち、非アクティブエリアＩＡには、画素２２がない）。
【００２４】
各画素２２（本明細書では発光画素２２と呼ばれることもある）は、有機発光ダイオードなどの発光ダイオード及び関連付けられた薄膜トランジスタ回路を有することができる。画素２２の配列は、画素構造（例えば、基板２４などのディスプレイ層上の構造から形成された画素）の行及び列から形成され得る。画素２２の配列には、任意の好適な数の行及び列（例えば、１０以上、１００以上、又は１０００以上）が存在し得る。ディスプレイ１４は、異なる色の画素２２を含むことができる。一例として、ディスプレイ１４は、赤色光を発する赤色画素、緑色光を発する緑色画素、及び、青色光を発する青色画素を含むことができる。所望であれば、他の色の画素を含むディスプレイ１４の構成を使用することができる。赤色、緑色、及び青色の画素を有する画素配置の使用は、単に例示である。
【００２５】
ディスプレイ１４のディスプレイドライバ回路２０は、基板２４に結合されたプリント配線基板上に取り付けられてもよく、又は基板２４上に取り付けられてもよい。信号経路２６などの信号経路は、ディスプレイドライバ回路２０を制御回路１６に結合することができる。回路２０は、１つ以上のディスプレイドライバ集積回路及び／又は薄膜トランジスタ回路を含むことができる。
【００２６】
動作中、デバイス１０の制御回路（例えば、図１の制御回路１６）は、ディスプレイドライバ回路２０などの回路にディスプレイ１４に表示される画像に関する情報（例えば、画像データのフレーム）を供給することができる。表示画素２２上に画像を表示するために、ディスプレイドライバ回路２０は、クロック信号及び他の制御信号をゲートドライバ回路１８などの補助ディスプレイドライバ回路に出している間に、対応する画像データをデータ線Ｄに供給することができる。データ線Ｄは、画素２２の対応する列と関連付けられる。ゲートドライバ回路１８は、ゲート線信号（走査信号、発光有効化信号などと呼ばれることもある）又は画素２２の他の制御信号を生成することができる。ゲート線信号は、ゲート線Ｇなどの線を使用して画素２２に伝達され得る。画素２２の行ごとに１つ以上のゲート線が存在し得る。ゲートドライバ回路１８は、集積回路及び／又は薄膜トランジスタ回路を含んでもよく、ディスプレイ１４の縁部に沿って（例えば、図３に示すディスプレイ１４の左及び／又は右縁部に沿って）、又は、ディスプレイ１４上の他のどこか（例えば、回路２０の一部として、ディスプレイ１４の下縁部に沿ってなど）に配置されてもよい。図３の構成は、単なる例示である。
【００２７】
ゲートドライバ回路１８は、ディスプレイ１４内のゲート線Ｇ上にゲート線信号をアサートすることができる。例えば、ゲートドライバ回路１８は、ディスプレイドライバ回路２０からクロック信号及び他の制御信号を受信することができ、受信信号に応答して、表示画素２２の第１行のゲート線信号Ｇから開始して、ゲート線Ｇ上にゲート信号を順番にアサートすることができる。各ゲート線がアサートされると、データ線Ｄからのデータは、表示画素の対応する行に読み込まれる。この方法で、ディスプレイドライバ回路２０などのデバイス１０内の制御回路は、画素２２に、ディスプレイ１４上に所望の画像を表示するための光を生成するように画素２２に指示する信号を供給することができる。
【００２８】
画素２２の回路及び、所望であれば、回路１８及び／又は２０などのディスプレイドライバ回路は、薄膜トランジスタ回路を使用して形成され得る。ディスプレイ１４内の薄膜トランジスタは、一般に、任意の好適なタイプの薄膜トランジスタ技術（例えば、ポリシリコン薄膜トランジスタなどのシリコントランジスタ、インジウムガリウム酸化亜鉛トランジスタなどの半導体酸化物トランジスタなど）を使用して形成されてもよい。
【００２９】
導電経路（例えば、１つ以上の信号線、ブランケット導電フィルム、及び他のパターン化導電構造）が、ディスプレイ１４内に設けられて、データ信号Ｄ、ゲート信号Ｇ、及び正の電源信号ＥＬＶＤＤなどの電力信号を画素２２に送ることができる。図３に示すように、これらの信号は、信号Ｄ、ゲート線Ｇ、及びＥＬＶＤＤを受信する信号ルーティング経路を使用して、アクティブエリアＡＡ内の画素２２に供給されてもよい。
【００３０】
図３に示すように、ノッチ５０は、ディスプレイ１４のアクティブエリアＡＡ内に突出していてもよい。ノッチ５０には表示画素２２がないが、ノッチに隣接するアクティブエリアＡＡの部分（例えば、ノッチ５０の左及び右側のアクティブエリア部分ＡＡ'）は表示画素２２を含むことができる。ゲートドライバ回路１８からノッチ５０の両側の画素２２にゲート信号を供給するために、ゲート線Ｇは、ノッチ５０の回りにルーティングされた湾曲部分（湾曲部分、蛇行部分、蛇行部分、又は偏向部分と呼ばれることもある）を有することができる。ノッチ５０内には、これらのゲート線Ｇがゲート信号を供給する画素２２は存在しないが、ノッチ５０は、これらのゲート線に結合されたダミー画素又はキャパシタ構造などの他の回路を含むことができる。ダミー画素構造及び／又はキャパシタ構造は、ノッチ５０（例えば、アクティブエリア領域ＡＡ'内の画素にゲート信号を供給するゲート線）を介してルーティングされたゲート線Ｇが、残りのアクティブエリアＡＡに形成されたゲート線Ｇとは異なる数の表示画素２２に結合されるという事実に起因して生じ得る、望ましくない表示アーチファクトを防止するのに役立つことができる。
【００３１】
図３に示すタイプのディスプレイは、一例として、約２，５００行の表示画素２２及び１，２５０列の表示画素２２を含むことができる。図３の例示的構成では、そのようなディスプレイ１４は、２，５００本のゲート線Ｇ及び１，２５０本のデータ線Ｄを有する。図３に示すように、ディスプレイの左右端部に沿って延びるデータ線Ｄは、ノッチ５０の両側のアクティブエリア部分ＡＡ'に形成される画素を含む、ディスプレイの各行の画素にデータ信号を供給することができる。しかしながら、ノッチ５０が存在するために、ディスプレイの中心を通って延びるいくつかのデータ線Ｄは、ディスプレイの各行よりも少なく、データ信号を供給し得る（すなわち、ノッチ５０の下にあるデータ線Ｄはノッチ５０内に延び、アクティブエリア領域ＡＡ'内の画素にデータ信号を供給するデータ線より早く終端する）。一例では、ノッチ５０は、Ｙ方向に約１００行の画素の高さを有することができる。そのような構成では、ノッチ５０内に延びるデータ線Ｄは、ディスプレイの全高にわたって延びるデータ線（例えば、アクティブエリア領域ＡＡ'を通って領域ＡＡ'内のアクティブエリアの縁部に延びるデータ線）に比べて約１００個少ない表示画素２２に結合され得る。
【００３２】
ゲート線Ｇは、データ線Ｄから画素２２へのデータ信号の読み込み（データ読み込み）を制御するので、ノッチ５０の存在は、Ｘ方向におけるディスプレイのアクティブエリアを横切って縁部から縁部に延びる第１の組のゲート線（例えば、ノッチ５０内には延びず、アクティブエリア部分ＡＡ'にはないゲート線）が、第１の組のデータ線及び第２の組のデータ線の両方についてデータ読み込みを制御する、構成をもたらし得る。第１の組のデータ線は、アクティブエリア部分ＡＡ'内のノッチに隣接するアクティブエリアの縁部（例えば、ノッチ５０内に延びないデータ線）に向かって、Ｙ方向にディスプレイを横切って延びることができる。第２の組のデータ線は、ディスプレイを横切って延び、ノッチで終端することができる。アクティブエリア部分ＡＡ'を通って延び、ノッチ５０内に延びる第２の組のゲート線は、アクティブエリア部分ＡＡ'のノッチに隣接して存在する第１の組のデータ線については、データの読み込みを制御することができるが、ディスプレイを横切って延び、ノッチで終端する第２の組のデータ線については、データの読み込みを制御することができない。第１及び第２の組のゲート線はそれぞれ、任意の好適な数のゲート線（例えば、３、５、１０、１００、５００、又は他の好適な数のゲート線）を含むことができる。第１及び第２の組のデータ線は、それぞれ、任意の好適な数のデータ線（例えば、３、５、１０、１００、５００、又は他の好適な数のデータ線）を含むことができる。
【００３３】
ノッチ５０内に実際の画像画素２２が存在しないという事実にもかかわらず、ノッチ５０で終端する画素の列にデータ信号を供給するデータ線は、ノッチ５０内に画素があるかのようにデータ信号をまだ生成することができる。例えば、これらのデータ線は、ゲート線がデータのフレームをディスプレイに読み込む際に、画素の全ての行に対して異なるデータ電圧の間でトグルされてもよい。しかし、ノッチ５０には表示画素が存在しないので、これらのデータ信号は実際にはいずれの表示画素２２によっても受信されず、次の画素行がプログラムされるときにデータ線Ｄ上の新しいデータ信号と単に置換される。これらのデータ信号は、仮想画素２２'のデータ信号（データ信号が実際には存在しない画素に対応するため）、非アクティブデータ（データがディスプレイの非アクティブノッチエリアに対応するため）、非画像データ（データ信号がアクティブエリアに表示されたいずれの画像内容にも対応しないため）、ヌルデータ信号（データ信号がゼロより大きい値を有していても、それらがアクティブエリアの画素を駆動するために使用されないため）、定数若しくは定数値データ（非アクティブノッチに対応するデータ線Ｄ上に駆動されるデータがフレーム間で変化しない場合があるため）、ダミーデータ信号、フィラーデータ信号、又はノッチデータ信号、と呼ばれる場合がある。フレームに対するプログラムが、早期に終端するデータ線Ｄに結合された表示画素を含む行（すなわち、ノッチ５０に延びるデータ線）に達すると、これらのデータ線Ｄ上のデータ信号は表示画素２２に供給される。
【００３４】
ヌルデータ／非画像データは、画素に供給された場合、その画素に光を発させないようにする（例えば、画素はオフのままであり、黒く見える）データ信号に対応することができる。このようにして、ヌルデータ／非画像データは最小データ信号電圧レベル（例えば、０ボルト）を有し得て、０のグレーレベルに対応し、ブラックデータと呼ばれ得る。ヌルデータ／非画像データは、画素に供給された場合、その画素に画素の最大ルミナンス未満でありながらある程度の光を発させるデータ信号に対応することができる。このように、ヌルデータ／非画像データは、最小値よりも高いデータ信号電圧レベルを有して１以上のグレーレベルに対応することができ、グレーデータと呼ばれ得る。
【００３５】
ディスプレイ１４のアクティブエリアＡＡが図３に示すような丸い角を有する構成では、非アクティブエリアは、アクティブエリアＡＡの丸い角がなければ（例えば、アクティブエリアＡＡが完全に矩形の形状を有する場合）表示画素を含むことになる、角領域５９（本明細書では、非アクティブ角部と呼ばれることもある）を含むことができる。角領域５９は、角領域５９に延びるデータ線Ｄの早期終端を引き起こすことができる。このタイプの構成では、これらのデータ線上のデータ信号の少なくともいくつかは、実際には角領域５９内の位置に対応する仮想画素２２'用である。
【００３６】
有機発光ダイオードディスプレイでは、有色発光材料を使用して、赤色、緑色及び青色光（又は他の色の光）を発する能力を発光ダイオードに供給することができる。例えば、赤色有機発光ダイオードは赤色有機発光材料を含み、緑色有機発光ダイオードは緑色有機発光材料を含み、青色有機発光ダイオードは青色有機発光材料を含むことができる。発光材料は、発光ダイオードが使用されるにつれて劣化することがある。ダイオードが大きな電流で駆動される重度の使用は、ダイオードが小さな電流で駆動される軽度の使用よりも、ダイオードをより急速に経年劣化させることがある。ダイオードが経年劣化するにつれて、劣化した発光材料は、ダイオードに、所与の駆動電流に対して減少した量の光を発させる。したがって、有機発光ダイオードディスプレイにおける画素ルミナンスは、一般に、ディスプレイ内の画素の経年劣化履歴の関数である。画素ルミナンス及び経年劣化は、画素に供給されるデータ信号に基づいて監視されてもよい。例えば、大きな電流を使用して画素を高ルミナンスレベルで駆動させるデータ信号を供給された画素は、同じ画素が、画素を低い電流で低ルミナンスレベルにて駆動させるデータ信号を供給された場合よりも速く劣化する。データ線Ｄを介して送出されるデータ信号は一般に０〜２５５のグレー値に対応する（すなわち、データ信号／グレー値の値が大きいほど、画素は明るく駆動される）ので、電子デバイス１０の回路は、これらがデータ線Ｄ上に供給されるとき、これらのデータ信号に基づいてディスプレイの画素の経年劣化を追跡することができる。
【００３７】
表示画素２２のこれらの望ましくないエージング誘導変化を補償し、したがってディスプレイ１４が画像を正確に表示できることを確実にするために、デバイス１０に画素ルミナンス劣化補償機能（本明細書ではバーンイン補償と呼ばれることもある）を設けることができる。具体的には、デバイス１０の制御回路を使用して、ディスプレイ１４内の各画素の経年劣化履歴に関する情報（本明細書ではバーンイン統計とも呼ばれることもある）を維持する、画素ルミナンス劣化トラッカー及び／又は画素ルミナンス劣化補償器を実装することができる。この経年劣化情報に基づいて、画素ルミナンス劣化補償器は、ディスプレイ１４の各画素に供給されるルミナンス値を調整することができる。経年劣化により劣化した画素のルミナンスが経時的に低下するにつれて、ディスプレイ内の他の画素に供給されるデータ信号（本明細書では画素ルミナンス値又はグレー値と呼ばれることもある）を変更（例えば、低減）して、ディスプレイの全体のルミナンスを、より速く経年劣化した画素の減少したルミナンスと一致させることができる。
【００３８】
図３に関連して上述したように、ディスプレイドライバ２０は、ノッチ５０の存在がなければ存在する（しかし、実際には存在しない）画素のための非アクティブデータ信号を送出することができる。しかしながら、ディスプレイの経年劣化データ線Ｄ上で送出されたデータ信号に基づいて監視される（それらが実際にいずれかの画素２２によって受信されるか否かにかかわらず）ので、仮想画素２２'（例えば、ノッチ５０又は角領域５９内の）に供給されるこれらの非アクティブデータ信号は、画素ルミナンス劣化追跡において不正確さを引き起こす可能性がある。例えば、ディスプレイドライバ２０が高ルミナンス値に対応する非アクティブデータ信号を送信しているが、データ信号は仮想画素２２'用であるために画素がこれらのデータ信号を実際に受信していない、又は明るいコンテンツを表示していない場合、画素ルミナンス劣化追跡は、画素の経年劣化を決定する際に、それでも非アクティブデータ信号を考慮し得る。画素ルミナンス劣化補償器が、実際には存在しない画素の画素経年劣化情報に基づいてディスプレイの輝度を補償（低減）するとき、ディスプレイ１４は不正確に又は早期に減光され得る。
【００３９】
実際には存在しない画素の画素経年劣化情報に基づいて、画素ルミナンス劣化補償器がディスプレイの輝度を低下させないようにするために、電子デバイス１０は、仮想画素２２'（例えば、ノッチ５０又は角領域５９内の）に供給されている非アクティブデータ信号の値を調整するデータ信号減衰（データ信号の低減、データ信号の最小化、適応境界ゲイン又はエッジフィルタリングとも呼ばれることもある）を、これらのデータ信号がデータ線Ｄ上に分配される前に実施することができる。例えば、データ信号減衰を制御回路１６内に実装し、仮想画素２２'に対する非アクティブデータ信号の値を、ディスプレイドライバ回路２０に供給される前に、又はデータ線Ｄに分配される前に、ゼロ（すなわち、最小ルミナンス又はブラック画素データ）に調整してもよい。これらのデータ信号は０に調整されているので、画素ルミナンス劣化追跡へのそれらの影響を低減又は排除することができ、それにより、実際には存在しない画素の画素経年劣化情報に基づいて、画素ルミナンス劣化補償器がディスプレイの輝度を低下しないようにすることができる。データ信号減衰は、ディスプレイのアクティブエリアＡＡ内の表示画素２２のデータ信号を調整することができないので、これらのデータ信号はデータ線Ｄ上に正常に分配される。
【００４０】
所望であれば、上述のタイプの適応境界ゲイン動作（データ信号減衰）も使用して、アクティブエリアＡＡとノッチ５０の周りの領域内の非アクティブエリアＩＡの間に、滑らかな視覚的遷移を供給することができる。例えば、図３に示すように、境界５１が湾曲部分を有する場合、適応境界ゲイン動作は、境界５１の湾曲部分の近傍の画素２２に供給されるデータ信号を調整することができる。アクティブエリアＡＡ内の表示画素２２に供給されるいくつかのデータ信号を調整することは、境界５１に沿って可視のギザギザの縁部を生成し得る突然の輝度遷移を避けるのに役立ち得る。
【００４１】
所望であれば、制御回路１６及び／又はディスプレイドライバ回路２０内の回路を使用して、データ信号減衰動作を実行することができる。別の例では、電子デバイス１０は、データ信号減衰動作を実行する、データ信号減衰器などのハードウェア構造（本明細書ではデータ信号減衰回路、データ信号最小化器、データ信号低減器、エッジフィルタエンジン、又は適応境界ゲイン機構と呼ばれることもある）を含むことができる。所望であれば、データ信号減衰器５５は、制御回路１６、ディスプレイドライバ２０、又はデバイス１０内の他の回路から形成され得る。
【００４２】
図３に関連して上述したように、各画素２２は、正の電源電圧線（例えば、正の電源電圧メッシュ）上の正の電源電圧ＥＬＶＤＤ及びデータ線Ｄ上のデータ信号を受信することができる。ディスプレイパネル１４内のデータ線Ｄ及び正の電源電圧線の配置により、ディスプレイ１４の通常の動作中にデータ線Ｄと正の電源電圧線の間に容量性結合が存在してもよい。データ信号減衰が実施されている場合、ノッチ５０の下に延びるデータ線Ｄは、ディスプレイのおよそ最初の１００行（すなわち、非アクティブノッチ）のプログラミングのために０のデータ信号（本明細書では、グレーレベルと呼ばれることもある）で駆動され得る。しかし、これらのデータ線Ｄがデータ信号を供給する表示画素２２を含むディスプレイの行のプログラミングが開始されると、データ信号減衰は適用されなくなり、これらのデータ線Ｄには通常のデータ信号が供給される。いくつかのシナリオでは、このことは、データ線Ｄに供給されるデータ信号に大きな変化を引き起こし得る。例えば、ノッチ領域５０の下のデータ線Ｄは、最初の１００行に対して０のグレー値を供給することから、行１０１で約２２５のグレー値に移行し得る。このデータ線Ｄ上の電圧の急激な変化は、データ線Ｄと正の電源電圧線との間の容量性結合（本明細書では水平クロストークと呼ばれることもある）を変化させ得て、遷移が起こる行の近傍において（例えば、ディスプレイ１４の１つ以上の行９０〜１１０において）正の電源電圧線上で電圧降下を引き起こす。各画素２２内の有機発光ダイオードを通過する電流の量は正の電源電圧に基づいているので、正の電源電圧線上のこの電圧降下は、行１００の近傍の有機発光ダイオードを通過する電流をも低下させ得る。有機発光ダイオードを通過する電流のこの低下は、結果として、これらの画素の輝度の低下を引き起こすことができ、減光水平線を、行１００の近傍のディスプレイ上に出現させる。注意が払われなければ、この減光線は電子デバイス１０のユーザに見えることがあり、望ましくない表示アーチファクトを生成する。
【００４３】
画素ルミナンス劣化補償による早期ディスプレイ減光を引き起こすことなく、中央アクティブエリアＡＡとノッチ５０に隣接するアクティブエリアＡＡ'の部分の間との境界における減光線を低減又は排除するために、仮想画素２２'（例えば、ノッチ５０又は角領域５９内の）に供給されるヌルデータ信号を、ノッチ５０の下の又は角領域５９の近傍のアクティブエリアでデータ信号値の遷移を容易にする値に、調整することができる。この遷移を容易にするためにデータ信号を調整する動作は、本明細書では、データ信号補償、データ信号補正、データ信号調整、又はデータ信号マスキングと呼ばれ得る。一例では、データ信号補償動作は、制御回路１６及び／又はディスプレイドライバ回路２０内の回路を使用して実行され得る。別の例では、電子デバイス１０は、データ信号補償動作を実行するデータ信号補償器５７（本明細書では、データ信号補償回路又はデータ信号無効器と呼ばれることもある）などのハードウェア構造を含むことができる。所望であれば、データ信号補償器５７は、制御回路１６内に、ディスプレイドライバ２０内に、又はデバイス１０内の他の回路を使用して、形成されてもよい。データ信号補償動作は、ヌルデータ信号に適用される数学的マスクを使用して、特定の画素アドレス（例えば、画素が配置される特定の行及び列）をそれぞれの補償された非アクティブデータ信号若しくは非アクティブデータ信号補償因子（例えば、ゲイン値）と関連付けるルックアップテーブルを使用して、特定の事前補償データ信号を補償された非アクティブデータ信号値に関連付けるルックアップテーブルを使用して、又は他の動作を使用して、実行され得る。
【００４４】
ノッチ５０の近傍のディスプレイ１４の一部の例示的な図が図４に示されている。図４は、例示的な値「Ａ」のデータ信号（グレーレベル）を供給された、ノッチ５０の下のアクティブエリアＡＡ内の一群の表示画素２２を示す。非アクティブノッチ５０は、遷移領域６１（境界領域と呼ばれることがある）及び上部領域６３（本明細書では中央領域と呼ばれることがある）を含むことができる。遷移領域６１及び上部領域６３は、データ線Ｄがまだデータ信号を担持する仮想画素２２'に対応するが、実際にはこのエリアに発光画素は存在しない。遷移エリア６１において、これらの架空画素２２'のデータ線Ｄ上に供給されたデータ信号（グレーレベル）は、ノッチ５０内の仮想画素２２'の最下部の行（すなわち、アクティブエリアＡＡの前の仮想画素２２'の最後の行）に対しては例示的な値「Ｔ１」を、及びノッチアクティブエリア境界からより遠い遷移エリア６１内の仮想画素の行（例えば、遷移領域６１内の画素の最後の行）に対しては例示的な値「ＴＮ」を、有することが示されている。遷移領域６１は、仮想画素２２'の２、３、５、１０、２５、５０、１００、又は他の数の行に対応する（を含む）ことができる（例えば、ＴＮのＮの値は、２〜５００に含まれ得る）。上部部分６３の架空画素２２'のデータ線Ｄ上に供給されたデータ信号（グレーレベル）は、例示的な値「Ｚ」を有することが示されている。上部領域６３は、仮想画素２２'の２、３、５、１０、２５、５０、１００、又は他の数の行に対応する（を含む）ことができる。
【００４５】
１つの例示的な例では、遷移エリア６１に対応する非アクティブデータ信号の値は、非アクティブノッチとアクティブエリアとの間の境界からより遠い仮想画素２２'の行に対して徐々に減少し得る。例えば、アクティブエリアＡＡ内の表示画素２２のグレーレベル値Ａは、１５０であってもよい。全ての仮想画素２２'のグレーレベル値をゼロに調整する（望ましくない表示アーチファクトを引き起こす可能性がある）のではなく、遷移エリア６１内の仮想画素２２'の最初の行のグレーレベルＴ１を１００に設定してもよい。仮想画素の最後の行のグレーレベルＴＮは１に設定されてもよい。遷移ゾーン６１内の仮想画素の最初の行と最後の行との間の仮想画素２２'のグレーレベルは、１〜１００の値を有することができる。このように、非アクティブノッチ（例えば、遷移ゾーン６１）に対応するヌルデータは、複数の異なるグレーレベルを含むグレーデータ又はグレー画像データと呼ばれてもよい。仮想画素が遷移ゾーン６１内に入り込むほど、グレーレベルは、直線的に又は指数関数的に減少してもよい。言い換えると、非アクティブノッチに対応するグレーレベル（データ信号）は、アクティブエリア−非アクティブノッチ境界からの距離が増加するにつれて直線的に又は指数関数的に減少してもよい（例えば、ヌルデータ信号が対応する遷移ゾーン６１内の位置が非アクティブノッチ−アクティブエリア境界から遠くなるほど、グレーレベルは低くなってもよい）。上部ゾーン６３内の仮想画素２２'のグレーレベルＺは、ゼロに設定されてもよい。このようにして、非アクティブノッチ（例えば、上部ゾーン６３）に対応するヌルデータをブラックデータと呼ぶことができる。ノッチ５０で終端するデータ線Ｄ上に供給されたグレーレベルを徐々に減少（漸減）させることにより、正の電源線上の電圧降下が制限され、境界５３の周りの減光線の存在が低減されるか又は排除され得る。データ線Ｄ上に供給された非アクティブデータ信号が仮想画素２２'のいくつかに対してはまだゼロにとられているため、及びゼロよりも高い非アクティブデータ信号がアクティブエリアＡＡ内の表示画素２２に供給されたデータ信号に対してまだ減少されているため、画素ルミナンス劣化追跡に及ぼすこれらの非アクティブデータ信号の影響は、早期ディスプレイ減光が最小となるように制限され得る。
【００４６】
ノッチ５０の遷移領域６１及び上部領域６３は、ノッチ５０が延びる画素の行に対応するので、データの読み込みを制御するためにこれらの行のゲート線が使用されているときに、遷移領域６１のＺ、Ｔ１、ＴＮの値及び／又は他のグレー値に対応するヌルデータを供給することができる。例えば、ノッチ５０が延びる画素の行（単数又は複数）に対応する第１のゲート線（単数又は複数）を使用する間、ディスプレイドライバ回路２０は、ノッチ５０で、遷移領域６１のＴ１、ＴＮのグレー値、及び／又は他のグレー値（例えば、グレーデータ）に対応するヌルデータ信号で切り捨てる、データ線（単数又は複数）Ｄを供給することができる。ディスプレイドライバ回路２０がこのように動作してグレーデータを供給する、１、２、３、４、５、１０以上のゲート線が存在してもよい。グレーデータに関連付けられたグレーレベルは、非アクティブノッチ５０とアクティブエリアＡＡとの間の境界から（ゲート線の）距離が増加するにつれて、直線的に又は指数関数的に減少してもよい。ノッチ５０が延びる第２の行（単数又は複数）の画素に対応する第２のゲート線（単数又は複数）を使用する間、ディスプレイドライバ回路２０は、ノッチ５０で、グレー値Ｚ（例えば、ブラックデータ）に対応するヌルデータ信号で切り捨てる、データ線（単数又は複数）Ｄを供給することができる。表示ドライバ回路２０がこのように動作してブラックデータを供給する、１、２、３、４、５、１０以上のゲート線が存在してもよい。
【００４７】
上記の例は単なる例示である。所望であれば、仮想画素２２'のグレーレベルを他の方法で決定することができる。例えば、仮想画素２２'のグレーレベルは、線形又は指数関数以外の関数に従って境界５１からの距離と共に減少してもよく、固定若しくは動的に決定されたオフセット値を用いて調整されてもよく、データ信号減衰動作によって予め決定された値０（又は他の値）から調整されてもよく、データ信号の減衰動作によって決定されなかった元のグレーレベルから調整されてもよく、又は他の方法で決定されてもよい。所望であれば、遷移領域６１のＺ、Ｔ１、ＴＮの値及び／又は他のグレー値は、全て同じであってもよい。例えば、全ての仮想画素２２'は、同じグレーレベル（例えば、０〜２５５のグレーレベル）を供給されてもよい。別の例示的な構成では、遷移領域６１のＺ、Ｔ１、ＴＮの値及び／又は他のグレー値は、その一部又は全部が０〜２５５にあるランダムなグレーレベルであってもよい。上記で供給された表示画素２２及び仮想画素２２'のグレーレベルの値もまた、単なる例示である。アクティブエリアＡＡ内の表示画素に供給されたグレーレベルは、ディスプレイ１４上に表示された後ろの画像データのフレームに基づいて変化し得る。仮想画素２２'のデータ線Ｄ上に供給された調整されたグレーレベルは、ノッチ５０近傍の画素２２のグレーレベルに基づいて、及び調整されたグレーレベルを決定するために使用される機能又は他の方法に基づいて、変化することができる。仮想画素２２'のグレーレベルは、静的であってもよく（例えば、複数の表示データフレーム間で予め決定され、一定に保持されてもよい）、又は動的であってもよい（例えば、表示データのフレーム間で変化し、所望であれば、アクティブエリアＡＡ内の画素２２に供給されたデータに基づいて決定される）。
【００４８】
仮想画素２２'のグレー値が予め定められているか又はランダムグレー値である（境界５１からの距離の関数として徐々にゼロに減少するのとは対照的に）構成では、グレー値が選択されて、これらの非アクティブデータ信号の画素ルミナンス劣化追跡に及ぼす影響を最小にし、早期ディスプレイ減光を制限することができる。例えば、画素ルミナンス劣化補償器は、画素ルミナンス劣化を追跡するときに閾値未満であるグレーレベルを考慮することができない（すなわち、鈍感であり得る）。１つの例示的な例では、この閾値は５０のグレーレベルであってもよい。この閾値未満に仮想画素２２'のグレーレベルを設定することは、画素ルミナンス劣化追跡に影響を及ぼし得ないが（例えば、画素２２に実際に供給されないデータ線Ｄ上に供給される非アクティブデータ信号に対して、画素ルミナンス劣化追跡を効果的にバイパスすることができる）、それでも境界５１におけるグレーレベル遷移を容易にする。
【００４９】
データ信号補償動作は、図４のノッチ５０に関連して上述したが、角領域５９内の仮想画素２２'に対して供給される非アクティブデータ信号に対して、同じ又は類似のデータ補償動作を実行することができる。
【００５０】
図４に関連して上述したタイプのグレーレベル補償を使用してディスプレイ１４上に画像を表示するための例示的なパイプラインの図が、図５に示されている。ブロック２８に示すように、表示パイプラインは、画像データのフレームで開始することができる。１つの例示的な例では、画像データのフレームは、デバイス１０の制御回路１６によって提供される。ブロック３０において、サブ画素レンダリングは、画像データのフレームを処理して（例えば、サブ画素レンダリングエンジンを使用して）、ディスプレイ１４で使用される赤色、緑色、及び青色サブ画素の特定の配置に対応するデータ信号を生成することができる。ブロック３２において、データ信号減衰を実行することができる。ブロック３６において、画素ルミナンス劣化追跡及び補償を実行することができる。ブロック３８において、データ信号にディザリング動作を実行することができる（例えば、ディザリングエンジンを使用して）。ディザリング動作は、一群の画素の平均グレーレベルがその群内の全ての画素に対する所望のグレーレベルに等しくなるように、グレーレベルを調整することができるが、群内の個々の画素のどれも所望のグレーレベルでプログラムされていなくてもよい。ディザリング動作を使用して、ノッチ５０とアクティブエリアＡＡとの間の境界の視覚的外観を滑らかにすることができる。ブロック４０において、データ信号は、ディスプレイドライバ回路２０に供給されてもよい。ブロック４２において、表示ドライバ回路２０は、ディスプレイ１４内のデータ線Ｄ上にデータ信号を駆動して、画像データのフレームを表示することができる。
【００５１】
ブロック３４において、図４に関連して上述したタイプのデータ信号補償動作が、実行されてもよい。１つの例示的な実施例では、ブロック３６で画素ルミナンス劣化追跡及び補償が実行される前に（例えば、ブロック３２とブロック３４との間で）、データ信号補償動作を実行することができる。このような構成では、データ信号は十分に低く調整されて、画素ルミナンス劣化追跡に影響を与えないように、又は早期ディスプレイ減光を引き起こさないようにするが、それでもアクティブエリアと非アクティブノッチとの間のグレーレベル遷移を容易にする。
【００５２】
別の例示的な構成では、ブロック３４におけるデータ信号補償動作は、ブロック３６において画素ルミナンス劣化追跡及び補償が行われる後まで実行されなくてもよい。このタイプの構成では、画素ルミナンス劣化追跡及び補償がブロック３６で実行される前に、データ信号減衰動作を使用して仮想画素２２'のグレーレベルを低い値（例えば、０〜１０に含まれるグレーレベル）にまだ調整して、これらの非アクティブデータ信号の画素ルミナンス劣化追跡に及ぼす影響を最小限にする。しかしながら、アクティブエリアと非アクティブエリアとの間のグレーレベル遷移をより緩やかにするために、非アクティブデータ信号を、データ線Ｄ上に駆動する前に再び調整することができる。１つの構成では、ブロック４０におけるデータ信号補償動作は、データ信号の減衰によって減少されたグレー値にオフセットを適用する（例えば、グレー値に加える）こと、及びデータ信号の減衰によって減少された（及び／又はオフセットによって調整された）グレーレベルにゲインを適用することを含むことができる。オフセットとゲインの組み合わせは、ノッチ５０近傍の減光線などの望ましくない表示アーチファクトの存在を低減又は排除する任意のゲインレベル（例えば、２５５）に仮想画素２２'の全ての非アクティブデータ信号を調整することができる。
【００５３】
別の例示的な構成では、ブロック３４におけるデータ信号補償動作は、オフセットを適用せずにデータ信号減衰動作によって低減されたグレーレベルにゲインを適用することを含むことができる。そのような構成では、非アクティブデータ信号は、データ信号減衰動作によって、０を超える値（例えば、１〜１０）に調整されていてもよい。ゲインは、ノッチ５０近傍の減光線などの望ましくない表示アーチファクトの存在を低減又は排除する任意のゲインレベル（例えば、２５５）に、仮想画素２２'の全ての非アクティブデータ信号を調整することができる。
【００５４】
ブロック３６の画素ルミナンス劣化追跡及び補償動作の後に実行される場合、データ信号補償動作はディスプレイドライバ回路２０において実行されてもよい。所望であれば、データ信号補償は、ディスプレイドライバ回路２０において行われる他の画素補償動作と同時に実行されてもよい。別の例では、データ信号補償動作は、データ信号がブロック３６のディスプレイドライバ回路２０から送信されるときとそれらがブロック３８のディスプレイ１４上に表示されるときとの間に実行されてもよい。
【００５５】
別の例では、ディスプレイドライバ回路２０は、ノッチ５０の下で終端するデータ線Ｄに、プログラムされている表示行がそれらのデータ線Ｄ（すなわち、ノッチ５０が延びるディスプレイの行）からデータ信号を受信する画素を含まない場合には、データ信号を供給しないように構成されてもよい。言い換えると、データ信号が表示画素２２に実際に供給されない（そして代わりに仮想画素２２'に対応する）場合、ディスプレイドライバ回路２０は、データ線トグリングを一時的に中断してもよい。この構成では、画素ルミナンス劣化追跡補償に影響を及ぼす、又は突然のグレーレベル遷移を生成するために、バーチャル画素２２'にデータ信号が供給されることはなく、アクティブエリア−非アクティブエリア境界５１における早期ディスプレイ減光と望ましくない表示アーチファクトの両方を最小限にするのに役立つ。ディスプレイドライバ回路２０は、ある時間期間にわたってデータ信号書き込み動作を中断するので、このようにディスプレイ１４を動作させることは、電力を節約するのにも役立つ。
【００５６】
ノッチ５０に対応する表示信号を調整する方法においてとられ得るステップの例示的なフローチャートを、図６に示す。
【００５７】
ステップ１００において、制御回路１６は、ディスプレイ１４に表示される表示データのフレームを提供することができる。
【００５８】
ステップ１０２において、データ信号減衰器５５は、フレーム内の非アクティブデータ信号（例えば、仮想画素２２'に対応するデータ信号）を減衰（ブラックデータに変換）して、画素ルミナンス劣化追跡に及ぼすデータ信号の影響を最小限にすることができる。
【００５９】
任意選択のステップ１０４において、データ信号補償器５７は、減衰されたデータ信号を調整（グレーデータに変換）して、ディスプレイ１４のアクティブエリアＡＡ内の画素に供給されるデータ信号と仮想画素用の非アクティブデータ信号との間の遷移を容易にすることができる。任意選択のステップ１０４が実行される場合、任意選択のステップ１０８をスキップしてもよく、ステップ１０６はステップ１１０に直接進むことができる。
【００６０】
ステップ１０６において、データ信号を、画素ルミナンス及び劣化補償を使用して追跡して、ディスプレイ１４内の画素の経年劣化を監視することができる。
【００６１】
任意選択のステップ１０８において、データ信号補償器５７は減衰データ信号を調整して、ディスプレイ１４のアクティブエリアＡＡ内の画素に供給されるデータ信号と仮想画素用の非アクティブデータ信号との間の遷移を容易することができる。任意選択のステップ１０８が実行される場合、任意選択のステップ１０４をスキップしてもよく、ステップ１０２はステップ１０６に直接進むことができる。
【００６２】
ステップ１１０において、補償されたデータ信号は、ディスプレイのアクティブエリア内の画素２２に実際に供給されることなく、データ線Ｄ上で搬送され得る。
【００６３】
一実施形態によれば、ディスプレイは、アクティブエリアを形成する画素、画素を含まないアクティブエリア内の非アクティブノッチ、及びアクティブエリア内の画素に画像データを供給し、非アクティブノッチに対応するヌルデータを供給するディスプレイドライバ回路、を含む。ヌルデータは、ブラックデータ及びグレーデータを含む。
【００６４】
別の実施形態によれば、非アクティブノッチはアクティブエリアに隣接する遷移部分を含み、ディスプレイドライバ回路によって供給されるグレーデータは遷移部分に対応する。
【００６５】
別の実施形態によれば、非アクティブノッチは上部部分を含み、遷移部分はアクティブエリアと上部部分との間にあり、ディスプレイドライバ回路によって供給されるブラックデータは上部部分に対応する。
【００６６】
別の実施形態によれば、ディスプレイドライバ回路は、複数の異なるグレーレベルを使用してグレーデータを遷移部分に供給する。
【００６７】
別の実施形態によれば、複数の異なるグレーレベルは、直線的に減少する第１、第２及び第３のグレーレベルを含む。
【００６８】
別の実施形態によれば、複数の異なるグレーレベルは、指数関数的に減少する第１、第２及び第３のグレーレベルを含む。
【００６９】
別の実施形態によれば、非アクティブノッチは、スピーカ、カメラ、及び周囲光センサを収容する。
【００７０】
別の実施形態によれば、画素は有機発光ダイオードを含む。
【００７１】
一実施形態によれば、ディスプレイは、画像を表示するように構成されたアクティブエリアを形成する画素の行及び列を含む。アクティブエリアはノッチ形状の凹部を有する。ディスプレイは、画素の行を横切って延び、ノッチ形状の凹部に隣接するアクティブエリアの端部で終端する第１のデータ線と、アクティブエリアを横切って延び、ノッチ形状の凹部で終端する第２のデータ線と、第１のデータ線及び第２のデータ線からアクティブエリア内の第１の組の行の画素へのデータ読み込みを制御する第１のゲート線と、第２のデータ線からではなく第１のデータ線からアクティブエリア内の第２の組の行の画素へのデータ読み込みを制御する第２のゲート線と、ディスプレイドライバ回路と、を更に含む。ディスプレイドライバ回路は、データ読み込みを制御するために第１のゲート線を使用する間に第２のデータ線に画像データを供給するように、データ読み込みを制御するために第１の組の第２のゲート線を使用する間に、第２のデータ線に第１の非画像データを供給するように、及びデータ読み込みを制御するために第２の組の第２のゲート線を使用する間に、第２のデータ線に第１の非画像データとは異なる第２の非画像データを供給するように、構成される。
【００７２】
別の実施形態によれば、第１の非画像データはブラック画像データであり、第２の非画像データはグレー画像データを含む。
【００７３】
別の実施形態によれば、グレー画像データは、複数の異なるグレーレベルを含む。
【００７４】
別の実施形態によれば、第２の組の第２のゲート線は、第１の組の第２のゲート線と第１のゲート線との間に介在される。
【００７５】
別の実施形態によれば、第２の組の第２のゲート線は、第１のゲート線と第１の組の第２のゲート線との間に第１のゲート線を含み、ディスプレイドライバ回路は、データ読み込みを制御するために第１のゲート線を使用する間に、第２のデータ線に第１のグレーレベルを供給するように構成される。第２の組の第２のゲート線は、第１のゲート線と第１の組の第２のゲート線との間に第２のゲート線を更に含み、ディスプレイドライバ回路は、データ読み込みを制御するために第２のゲート線を使用する間に、第２のデータ線に第２のグレーレベルを供給するように構成される。第２の組の第２のゲート線は、第２のゲート線と第１の組の第２のゲート線との間に第３のゲート線を更に含み、ディスプレイドライバ回路は、データ読み込みを制御するために第３のゲート線を使用する間に、第２のデータ線に第３のグレーレベルを供給するように構成される。
【００７６】
別の実施形態によれば、グレーレベルは、第１のグレーレベルから第３のグレーレベルまで指数関数的に減少する。
【００７７】
別の実施形態によれば、グレーレベルは、第１のグレーレベルから第３のグレーレベルまで直線的に減少する。
【００７８】
別の実施形態によれば、第１の非画像データ及び第２の非画像データはいずれの画素にも供給されない。
【００７９】
一実施形態によれば、画像データをデータ線に供給するディスプレイドライバ回路、データ信号減衰器、データ信号補償器、及び画像データを表示するように構成されたアクティブエリアを形成する画素を有するディスプレイを動作させる方法は、データ信号減衰器で画像データをブラックデータに調整することと、データ信号補償器でブラックデータをグレーデータに調整することと、ディスプレイドライバ回路でグレーデータをデータ線に供給することと、を含む。グレーデータは、いずれの画素をも駆動しない。
【００８０】
別の実施形態によれば、データ信号減衰器によって調整された画像データは、アクティブエリア内のノッチ形状の非アクティブ領域に対応し、方法は、ディスプレイドライバ回路で、アクティブエリアを形成する画素に画像データの少なくとも一部を供給することを更に含む。
【００８１】
別の実施形態によれば、方法は、ディスプレイドライバ回路で、データ線にブラックデータの少なくとも一部を供給することを更に含む。ブラックデータはいずれの画素をも駆動しない。
【００８２】
別の実施形態によれば、方法は、データ信号補償器で、グレーデータにデータ信号減衰器からのブラックデータを全て調整することを更に含む。
【００８３】
前述は単なる例示であり、記載された実施形態に変更を加えることができる。前述の実施形態は、個別に又は任意の組み合わせで実施されてもよい。
【図１】
2019045851.tif 000003
【図２】
2019045851.tif 000004
【図３】
2019045851.tif 000005
【図４】
2019045851.tif 000006
【図５】
2019045851.tif 000007
【図６】
2019045851.tif 000008
【外国語明細書】
2019045851000001.pdf